(57)【要約】      （修正有）【課題】炎の高度を上げ、熱力学ポテンシャルを高め、熱伝導を受ける面積を増大させ、水溶液エネルギーを増加させることで、高速省熱エネルギー煮沸容器を提供する。【解決手段】高速省熱エネルギー煮沸容器１は、少なくとも１以上の筒状本体１１を有し、筒状本体は下方に窪んで少なくとも１以上のチャンバーを形成するとともに、筒状本体の下方には少なくとも１以上の底部１３を具え、底部には上方に延伸する凸状空心柱体２が少なくとも１以上形成され、凸状空心柱体における加熱側の凹面が熱収集カバー溝２Ａであり、凸状空心柱体におけるチャンバー内の面の凸面が熱伝導カバー２Ｂであることを特徴とすることにより、熱伝導効率が高まり、加熱時間短縮効果、省熱エネルギー効果を奏する。【選択図】図２
2019093112.tif 000002
【特許請求の範囲】
【請求項１】
少なくとも１以上の筒状本体を有し、前記筒状本体は下方に窪んで少なくとも１以上のチャンバーを形成するとともに、前記筒状本体の下方には少なくとも１以上の底部を具え、底部には上方に延伸する凸状空心柱体が少なくとも１以上形成され、
前記凸状空心柱体における加熱側の凹面が熱収集カバー溝であり、前記凸状空心柱体におけるチャンバー表面の凸面が熱伝導カバーであることを特徴とする高速省熱エネルギー煮沸容器。
【請求項２】
前記底部は、前記凸状空心柱体が均一の間隔で形成され、又は前記凸状空心柱体が環状に形成されることを特徴とする請求項１に記載の高速省熱エネルギー煮沸容器。
【請求項３】
前記凸状空心柱体が凸状、又は二段凸状、又は多段凸状の空心柱体であることを特徴とする請求項１に記載の高速省熱エネルギー煮沸容器。
【発明の詳細な説明】
【技術分野】
【０００１】
この発明は高速省熱エネルギー煮沸容器に関し、特に加熱効率を高めることで省エネルギー効果を有する高速省熱エネルギー煮沸容器に関する。
【背景技術】
【０００２】
図１は、従来の水を煮沸する方式を示した説明図である。図面の開示によれば、従来の方法は、大量の水Ａ０を煮沸する加熱容器１０を用いる。加熱容器１０の下方にはコンロ台２０を設置し、コンロ台２０上には加熱容器１０を加熱するためのコンロ３０を設置し、コンロ３０に点火して加熱容器１０に収納した水が沸騰するまで加熱し、沸騰した後火を止めるか、又はとろ火にして温度を制御する。
【０００３】
沸騰させた大量の水Ａ０は、一般的には、飲食店での洗い物で使用される。また学校の食堂やレストランの厨房での使用に水Ａ０を貯えたり、家畜を屠殺して毛を除去するために水Ａ０を貯える。加熱容器に入れて煮沸する水Ａ０は少なくとも６リットル以上あってはじめて実用的な効果が得られる。但し、加熱容器１０に１００リットル以上の大量の水を入れて沸騰させる場合、ほとんどの場合１２０から２５０分の時間を要する。よって、水Ａ０を煮沸するには時間を浪費するという事実以外に、また熱エネルギーの大量の浪費にもなる。
【発明の概要】
【発明が解決しようとする課題】
【０００４】
本発明者は、燃料を浪費し、熱伝導効率が悪く、加熱時間も長いという従来の加熱容器の欠点を改善するために、熱伝導効率を向上させ加熱時間を短縮させることで省熱エネルギー効果を奏する、高速省熱エネルギー煮沸容器を発明するに至った。
【０００５】
本発明は、炎の高度を上げ、熱力学ポテンシャルを高め、熱伝統を受ける面積を増大させ、水溶液エネルギーを増加させることで、加熱に長時間を要する、燃料を浪費するという従来の加熱容器が有する課題を解決する、高速省熱エネルギー煮沸容器を提供することを目的とする。
【課題を解決するための手段】
【０００６】
前記目的を達成するために、本発明に係る高速省熱エネルギー煮沸容器は、少なくとも１以上の筒状本体を有し、前記筒状本体は下方に窪んで少なくとも１以上のチャンバーを形成するとともに、前記筒状本体の下方には少なくとも１以上の底部を具え、底部には上方に延伸する凸状空心柱体が少なくとも１以上形成され、
前記凸状空心柱体における加熱側の凹面が熱収集カバー溝であり、前記凸状空心柱体におけるチャンバー表面の凸面が熱伝導カバーであることを特徴とする。
【０００７】
また、本発明に係る高速省熱エネルギー煮沸容器は、前記底部は、前記凸状空心柱体が均一の間隔で形成され、又は前記凸状空心柱体が環状に形成されることを特徴とする。
【０００８】
また、本発明に係る高速省熱エネルギー煮沸容器は、前記凸状空心柱体が凸状、又は二段凸状、又は多段凸状の空心柱体であることを特徴とする。
【発明の効果】
【０００９】
本発明によれば、筒状本体に１又は複数の凸状空心柱体が形成され、前記凸状空心柱体の凹面が熱収集カバー溝であり、前記凸状空心柱体の凸面が熱伝導カバーである。この熱伝導カバーにより、構造的な空間が拡張され、炎の高熱点を高め、ポテンシャルエネルギーを高くすることで、水を高速に加熱するという効果を有する。さらに、この熱伝導カバーにより筒状本体内の熱伝導面積が増加し、熱伝導効率が高まるとともに水溶液の運動エネルギーが増加し、水溶液の沸点まで高速に加熱することができる。つまり、本発明に係る高速省熱エネルギー煮沸容器は、炎の高熱点を高める、ポテンシャルエネルギーを高める、熱収集空間の拡張、熱伝導面積の増加といった機能を有する。こうした機能により、加熱時間短縮効果、省熱エネルギー効果を奏する。
【図面の簡単な説明】
【００１０】
【図１】従来の煮沸方法を示した説明図である。
【図２】本発明の第1の実施形態の高速省熱エネルギー煮沸容器の構造を示した説明図である。
【図３】本発明の第1の実施形態の高速省熱エネルギー煮沸容器の構造を示した断面図である。
【図４】本発明の第1の実施形態の高速省熱エネルギー煮沸容器の構造を示した平面図である。
【図５】本発明の第1の実施形態の高速省熱エネルギー煮沸容器に支持脚を設けた状態を示した説明図である。
【図６】本発明の第1の実施形態の高速省熱エネルギー煮沸容器の使用態様を示した説明図である。
【図７】本発明の第2の実施形態の高速省熱エネルギー煮沸容器の構造を示した説明図である。
【図８】本発明の第2の実施形態の高速省熱エネルギー煮沸容器の構造を示した断面図である。
【発明を実施するための形態】
【００１１】
以下、本発明の実施形態について、図を参照しつつ詳細に説明する。なお、本発明は以下に述べる実施形態に限らない。
【００１２】
本発明の第1の実施形態を図２から図６に示す。まず、図２及び図３に示す高速省熱エネルギー煮沸容器１では、少なくとも１以上の筒状本体１１を有し、筒状本体１１は下方に窪んで少なくとも１以上のチャンバー１２を形成するとともに、筒状本体１１の下方には少なくとも１以上の底部１３を具え、底部１３には上方に延伸する凸状空心柱体２が少なくとも１以上形成され、凸状空心柱体２における加熱側の凹面が熱収集カバー溝２Ａであり、凸状空心柱体におけるチャンバー表面の凸面が熱伝導カバー２Ｂである。熱収集カバー溝２Ａ及び熱伝導カバー２Ｂは一体的に凸状空心柱体２を形成する。
【００１３】
ここで高速省熱エネルギー煮沸容器１は、同一材質で成るものが好ましい。高速省熱エネルギー煮沸容器１の材質としては、金属又は熱伝導可能な非金属を用いることができる。
【００１４】
また、図４に示すように、凸状空心柱体２の底部１３は、凸状空心柱体２が均一の間隔で形成され、又は凸状空心柱体２が環状に形成される。
【００１５】
また、高速省熱エネルギー煮沸容器１の底部１３には、補強環状部１６を設けることができる。
【００１６】
図５に示すように，補強環状部１６には、下方に延伸する４本の支持脚１７を設け、かつ支持脚１７の間にはコンロ支持フレーム１８を設ける。コンロ支持フレーム１８上には高速省熱エネルギー煮沸容器１を加熱するためのコンロ３０を設置することができる。
【００１７】
図６に示すように、高速省熱エネルギー煮沸容器１を使用する場合は、チャンバー１２に大量の水溶液Ａを入れ、コンロ３０に点火して炎２１を出し、チャンバー１２内の水溶液Ａが沸騰するまで底部１３と熱収集カバー溝２Ａを加熱し、熱伝導カバー２Ｂへ伝導する。その原理については、炎２１に発生した集中熱エネルギーが底部１３と熱伝導カバー溝２Ａを介して熱伝導カバー２Ｂへと伝導され水溶液Ａ内の水と接触することで、温度差による対流が生じる。熱伝導カバー溝２Ａは上方に向かって窪んでいる形状であるため熱伝導カバー２Ｂの熱収集空間が増大する。また、熱収集カバー溝２Ａ及び熱伝導カバー２Ｂの形状により、これらは一体となり三次元空間の幾何形状を形成し、炎の高熱点を高くし、熱伝導のための表面積を拡張し、水溶液Ａの沸騰を速めることができる。熱交換モデル換算及び小型の熱伝導カバー２Ｂの実体試験から推計すると、円の直径６０ｃｍ、深さ６０ｃｍの体積＝＞（３０ｃｍ）２π×６０ｃｍ×９５％＝１６１１６４立方ｃｍ＝１６１リットル（水溶液Ａ）、８本の凸状空心柱体２による試験によると体積＝（５ｃｍ））２π×４５ｃｍ×８本＝約２８０７４立方ｃｍ≒２８リットル。１６１リットル−２８リットル＝１３３リットル（水溶液Ａ）。ダブルホースの高速コンロを使用した炎２１は約３０分で２５℃から１００℃に至るまで加熱して沸騰させることができる。
【００１８】
本発明における凸状空心柱体の形状は、特に限定されるものではなく、如何なる凸状空心柱体の立体形状であってもよい。例えば、凸状空心柱体は凸状、又は二段凸状、又は多段凸状の空心柱体であることができる。図７及び図８に示すように、本発明の第２の実施例に係る凸状空心柱体は二段凸状空心柱体である。第２の実施例に係る高速省熱エネルギー煮沸容器１００を使用する場合は、チャンバー１２０に大量の水溶液Ａを入れ、コンロ３０に点火して炎２１を出し、チャンバー１２０内の水溶液Ａが沸騰するまで底部１３０と二段熱収集カバー溝３Ａを加熱し、二段熱伝導カバー３Ｂへ伝導する。その原理については、炎２１に発生した集中熱エネルギーが底部１３０と二段熱伝導カバー３Ａを介して二段熱伝導カバー３Ｂへと伝導され水溶液Ａ内の水と接触することで、温度差による対流が生じる。二段熱伝導カバー溝３Ａは上方に向かって窪んでいる形状であるため二段熱伝導カバー３Ｂの熱収集空間が増大する。また、二段熱収集カバー溝３Ａ及び二段熱伝導カバー３Ｂの形状により、これらは一体となり三次元空間の幾何形状を形成し、炎の高熱点を高くし、熱伝導のための表面積を拡張し、水溶液Ａの沸騰を速めることができる。熱交換モデル換算及び単一の二段熱伝導カバー３Ｂの実体試験から推計すると、円の直径６０ｃｍ、深さ６０ｃｍの体積＝＞（３０ｃｍ）２π×６０ｃｍ×９５％＝１６１１６４立方ｃｍ＝１６１リットル（水溶液Ａ）、二段凸状空心柱体３により体積を計算すると（単一の二段凸状空心柱体の二段熱伝導カバー溝３Ａの表面積と、８本の熱伝導カバー２Ｂの表面積の和は同一である）、ダブルホースの高速コンロを使用した炎２１は約３０分で２５℃から１００℃に至るまで加熱して沸騰させることができる。
【００１９】
本発明の原理及び操作順序を、第1の実施例を例に説明する。
【００２０】
１．炎の高熱点を高め、炎の熱が収集される空間を拡張し、熱放射を吸収し、熱伝導の表面積を増加させるため、凸状空心柱体２を均一の間隔に少なくとも１つ製造する。
【００２１】
２．炎２１に十分な酸素を与えるため、炎２１と底部１３の間に十分な高さを設ける。
【００２２】
３．凸状空心柱体２の熱収集カバー溝２Ａを立体凹状に設計する。炎の高熱点が高くなり、熱放射を吸収し、ポテンシャルエネルギーが高くなる。よって火の供給源を同一とした場合、本発明に係る高速省熱エネルギー煮沸容器では炎の高熱点が高くなり、加熱時間短縮効果、省熱エネルギー効果を奏する。
【００２３】
４．凸状空心柱体２を均一の間隔で環状に形成する。炎を熱源として集中させ、勢いよく上昇させることで、熱エネルギーの散逸を防ぎ、熱エントロピーを高め物理熱エネルギー伝導を高速に変換する効果を有する。
【００２４】
５．チャンバー１２内の水溶液Ａは底部１３、凸状空心柱体２（熱伝導カバー２Ｂ）の周囲及び凸状空心柱体２の頂点部から熱伝導を受ける。よって、チャンバーの上下左右からの熱伝導により水溶液Ａに高速の対流が生じ、熱エネルギー交換によりチャンバー１２内の水溶液Ａの温度は急速に上昇する。加熱時間は従来の加熱容器に比べ４分の１となり、本発明に係る高速省熱エネルギー煮沸容器では燃料の節約効果も有する。
【００２５】
以上によれば、この発明の特徴は、高速省熱エネルギー煮沸容器１を使用する場合、熱収集カバー溝２Ａと一体の熱伝導カバー２Ｂに熱伝導し、直接水溶液Ａに熱伝導することにあり、チャンバー１２において、上方に向かって立設される熱伝導カバー２Ｂは水溶液Ａの量の多寡に合わせて増加することができ、炎の高さを高くすることで自然現象として熱エネルギーが増大し、水溶液Ａの沸騰を促進する。上述する試験基準によれば、具体的に３０分ほどで水溶液Ａの温度を２５℃から１００℃に至らしめ沸騰させることができる。よって、大量のエネルギー（ガス）と時間とを節約するという効果が得られる。第２の実施形態に係る発明の原理、操作順序及び効果も同様である。
【００２６】
以上に述べた内容は、本発明の好ましい実施形態に過ぎず、上記内容により本発明の範囲を限定してはならない。即ち、本発明の特許請求の範囲及び明細書の内容に対する同等効果の変更及び修飾はいずれも本発明の権利範囲に属する。
【符号の説明】
【００２７】
１    高速省熱エネルギー煮沸容器
２    凸状空心柱体
２Ａ    熱収集カバー溝
２Ｂ    熱伝導カバー
３    二段凸状空心柱体
３Ａ    二段熱収集カバー溝
３Ｂ    二段熱伝導カバー
１０、１００    加熱容器
１１、１１０    筒状本体
１２、１２０    チャンバー
１３、１３０    底部
１６    補強環状部
１７    支持脚
１８    コンロ支持フレーム
２    コンロ
２０    コンロ台
２１    炎
３０    コンロ
Ａ０    水
Ａ    水溶液
【図１】
2019093112.tif 000003
【図２】
2019093112.tif 000004
【図３】
2019093112.tif 000005
【図４】
2019093112.tif 000006
【図５】
2019093112.tif 000007
【図６】
2019093112.tif 000008
【図７】
2019093112.tif 000009
【図８】
2019093112.tif 000010